(57)【要約】【課題】場所に関連付けられている情報の中から、ユーザにマッチングする情報のみを効率的に送信することができる情報提供システムを提供すること。【解決手段】ユーザ端末装置１２１から送信された所定の無線通信規格に準拠した信号に含まれている信号発信装置１１３を示す固有情報と付加情報を受信する通信部１３２と、固有情報と、ユーザ端末装置１２１に提供するための提供情報とが関連付けて記憶されている提供情報記憶部１３４と、提供情報記憶部１３４に記憶されている提供情報の中から、通信部１３２で受信した固有情報に関連付けられている提供情報を抽出し、抽出した提供情報の中から、通信部１３２で受信した付加情報にマッチングする提供情報を抽出する抽出部１３５と、を備え、通信部１３２は、抽出部１３５により抽出された提供情報を付加情報に対応するユーザ端末装置に送信する。【選択図】図２
2018169868.tif 000002
【特許請求の範囲】
【請求項１】
所定の無線通信規格に準拠した第一信号を発信する信号発信装置と、
前記信号発信装置から発信された第一信号を受信し、前記第一信号に含まれている前記信号発信装置を示す固有情報に付加情報を加えた第二信号を送信するユーザ端末装置と、
前記ユーザ端末装置から送信されてきた前記第二信号を受信する情報提供サーバと、からなる情報提供システムであって、
前記情報提供サーバは、
前記固有情報と、ユーザ端末装置に提供するための提供情報とが関連付けて記憶されている提供情報記憶部と、
前記提供情報記憶部に記憶されている提供情報の中から、前記固有情報に関連付けられている提供情報を抽出し、抽出した提供情報の中から前記付加情報にマッチングする提供情報を抽出する抽出部と、
前記抽出部により抽出された提供情報をユーザ端末装置に送信する通信部と
を備える情報提供システム。
【請求項２】
前記付加情報には、
ユーザ端末装置を特定する端末ＩＤ情報のみ、
または、前記端末ＩＤ情報、および、ユーザ端末装置のユーザ個人を特定するためのユーザＩＤ情報またはユーザが提供を希望する提供情報に関する希望条件情報
を含む請求項１に記載の情報提供システム。
【請求項３】
前記抽出部は、前記提供情報記憶部に記憶されている提供情報の中から、前記固有情報に関連付けられている提供情報を抽出し、抽出した提供情報の中から、前記希望条件情報にマッチングする提供情報を抽出する請求項２に記載の情報提供システム。
【請求項４】
前記情報提供システムは、前記ユーザ端末装置にＳＮＳを提供するＳＮＳサーバを備え、
前記ユーザ端末装置は、受信した前記第一信号に含まれている前記信号発信装置を示す固有情報にユーザ端末装置のユーザ個人を特定するためのユーザＩＤ情報を加えた第二信号を情報提供サーバに送信し、
前記通信部は、前記マッチングする提供情報を前記ＳＮＳサーバを介して前記ユーザＩＤ情報に対応するユーザのユーザ端末装置に送信する請求項１から３のいずれか一項に記載の情報提供システム。
【請求項５】
前記情報提供サーバは、
前記ユーザ端末装置による所定のＷＥＢサイトへのアクセス履歴を解析処理して、ユーザが提供を希望する提供情報に関する希望条件情報を生成する希望条件生成部と、
前記希望条件生成部により生成された希望条件情報と、前記端末ＩＤ情報又は前記ユーザＩＤ情報とが関連付けて記憶されている希望条件記憶部とを備え、
前記抽出部は、
前記希望条件記憶部に記憶されている希望条件情報の中から、前記付加情報に含まれている前記端末ＩＤ情報又は前記ユーザＩＤ情報に対応する希望条件情報を抽出し、
前記提供情報記憶部に記憶されている提供情報の中から、前記固有情報に関連付けられている提供情報を抽出し、抽出した提供情報の中から、前記希望条件情報にマッチングする提供情報を抽出する請求項２から４のいずれか一項に記載の情報提供システム。
【請求項６】
前記提供情報には、求人情報が含まれる請求項１から５のいずれか一項に記載の情報提供システム。
【請求項７】
前記情報提供サーバは、前記信号発信装置を示す固有情報が複数関連付けられているテーブルを有するテーブル記憶部を備え、
前記抽出部は、前記提供情報記憶部に記憶されている提供情報の中から、前記テーブル記憶部に記憶されているテーブルに基づいて、前記ユーザの在住地と関連付けられた他の固有情報を読み出し、読み出した前記他の固有情報と前記付加情報にマッチングする提供情報を抽出する請求項１から６のいずれか一項に記載の情報提供システム。
【請求項８】
前記テーブル記憶部は、前記信号発信装置が同一グループに属する複数の店舗に設置されている場合に、当該複数の店舗に設置された前記信号発信装置を示す固有情報同士が関連付けられているテーブルを有する請求項７に記載の情報提供システム。
【請求項９】
前記情報提供サーバは、前記固有信号から特定された位置情報及び当該位置情報と関連付けられた売場情報に基づいてユーザの個人特性を推定する個人特性推定部を備え、
前記抽出部は、前記提供情報記憶部に記憶されている提供情報の中から、前記固有情報に関連付けられている提供情報を抽出し、抽出した提供情報の中から前記個人特性にマッチングする提供情報を抽出する請求項１から８のいずれか一項に記載の情報提供システム。
【請求項１０】
前記信号発信装置から連続して信号を受信した回数に基づき、前記信号発信装置が設置された位置をユーザが長く滞在している場所として特定する位置特定部を有する請求項９に記載の情報提供システム。
【請求項１１】
前記信号発信装置は、Ｂｌｕｅｔｏｏｔｈプロトコルにより通信を行う請求項１から１０のいずれか一項に記載の情報提供システム。
【請求項１２】
ユーザ端末装置から送信された所定の無線通信規格に準拠した信号に含まれている信号発信装置を示す固有情報と付加情報を受信する通信部と、
前記固有情報と、前記ユーザ端末装置に提供するための提供情報とが関連付けて記憶されている提供情報記憶部と、
前記提供情報記憶部に記憶されている提供情報の中から、前記通信部で受信した固有情報に関連付けられている提供情報を抽出し、抽出した提供情報の中から、前記通信部で受信した付加情報にマッチングする提供情報を抽出する抽出部と、を備え、
前記通信部は、前記抽出部により抽出された提供情報を前記付加情報に対応するユーザ端末装置に送信する情報提供サーバ。
【請求項１３】
通信部によって、ユーザ端末装置から送信された所定の無線通信規格に準拠した信号に含まれている信号発信装置を示す固有情報と付加情報を受信する受信工程と、
抽出部によって、前記固有情報と、前記ユーザ端末装置に提供するための提供情報とが関連付けて記憶されている提供情報記憶部に記憶されている提供情報の中から、前記通信部で受信した固有情報に関連付けられている提供情報を抽出し、抽出した提供情報の中から、前記通信部で受信した付加情報にマッチングする提供情報を抽出する抽出工程と、
通信部によって、前記抽出部により抽出された提供情報を前記付加情報に対応するユーザ端末装置に送信する通信工程と、
を備える情報提供方法。
【請求項１４】
ユーザ端末装置から送信された所定の無線通信規格に準拠した信号に含まれている信号発信装置を示す固有情報と付加情報を受信する受信工程と、
前記固有情報と、前記ユーザ端末装置に提供するための提供情報とが関連付けて記憶されている提供情報記憶部に記憶されている提供情報の中から、前記受信工程で受信した固有情報に関連付けられている提供情報を抽出し、抽出した提供情報の中から、前記受信工程で受信した付加情報にマッチングする提供情報を抽出する抽出工程と、
前記抽出工程により抽出された提供情報を前記付加情報に対応するユーザ端末装置に送信する通信工程と、
をコンピュータによって実現するための情報提供プログラム。
【発明の詳細な説明】
【技術分野】
【０００１】
本開示は、情報を端末装置に提供する情報提供システム、情報提供サーバ、情報提供方法およびプログラムに関する。
【背景技術】
【０００２】
スマートフォンなどのユーザ端末装置の位置情報に応じてユーザ端末装置が通知対象エリア内に存在しているときに、ユーザ端末装置に対して広告提供者から広告通知メッセージを送信する技術がある。
【０００３】
また、特許文献１のように、求職者に関連のある場所に存在する職場の求人情報を得るために、店舗等から送信される求人情報を近距離無線通信手段等を用いて受信し、ユーザ端末装置で求人情報の適否を判断しユーザに求人情報を告知する技術が開示されている。
【先行技術文献】
【特許文献】
【０００４】
【特許文献１】特開２０１６−９１４４４号公報
【発明の概要】
【発明が解決しようとする課題】
【０００５】
しかし、特許文献１では、ユーザ端末装置が店舗エリア等の領域に入ると店舗等からユーザ端末装置に求人情報が送信され、ユーザ端末装置においてユーザにマッチングする情報であるかの判断を行うことになるため、ユーザ端末装置の負荷が大きくなってしまうという課題がある。
【０００６】
本開示では、場所に関連付けられている情報の中から、ユーザにマッチングする情報のみを効率的に送信することができる情報提供システム、情報提供サーバ、情報提供方法およびプログラムを提供することを目的とする。
【課題を解決するための手段】
【０００７】
上記目的を達成するために、本開示の一態様における情報提供システムは、所定の無線通信規格に準拠した信号を発信する信号発信装置と、信号発信装置から発信された第一信号を受信し、第一信号に含まれている信号発信装置を示す固有情報に付加情報を加えた第二信号を送信するユーザ端末装置と、ユーザ端末装置から送信されてきた第二信号を受信する情報提供サーバと、からなる情報提供システムであって、情報提供サーバは、固有情報と、ユーザ端末装置に提供するための提供情報とが関連付けて記憶されている提供情報記憶部と、提供情報記憶部に記憶されている提供情報の中から、固有情報に関連付けられている提供情報を抽出し、抽出した提供情報の中から付加情報にマッチングする提供情報を抽出する抽出部と、抽出部により抽出された提供情報をユーザ端末装置に送信する通信部と、を備える。
【０００８】
本開示の一態様における情報提供サーバは、ユーザ端末装置から送信された所定の無線通信規格に準拠した信号に含まれている信号発信装置を示す固有情報と付加情報を受信する通信部と、固有情報と、ユーザ端末装置に提供するための提供情報とが関連付けて記憶されている提供情報記憶部と、提供情報記憶部に記憶されている提供情報の中から、通信部で受信した固有情報に関連付けられている提供情報を抽出し、抽出した提供情報の中から、通信部で受信した付加情報にマッチングする提供情報を抽出する抽出部と、を備え、通信部は、抽出部により抽出された提供情報を付加情報に対応するユーザ端末装置に送信する。
【０００９】
本開示の一態様における情報提供方法は、通信部によって、ユーザ端末装置から送信された所定の無線通信規格に準拠した信号に含まれている信号発信装置を示す固有情報と付加情報を受信する受信工程と、抽出部によって、固有情報と、ユーザ端末装置に提供するための提供情報とが関連付けて記憶されている提供情報記憶部に記憶されている提供情報の中から、通信部で受信した固有情報に関連付けられている提供情報を抽出し、抽出した提供情報の中から、通信部で受信した付加情報にマッチングする提供情報を抽出する抽出工程と、通信部によって、抽出部により抽出された提供情報を付加情報に対応するユーザ端末装置に送信する通信工程と、を備える。
【００１０】
本開示の一態様における情報提供プログラムは、ユーザ端末装置から送信された所定の無線通信規格に準拠した信号に含まれている信号発信装置を示す固有情報と付加情報を受信する受信工程と、固有情報と、ユーザ端末装置に提供するための提供情報とが関連付けて記憶されている提供情報記憶部に記憶されている提供情報の中から、受信工程で受信した固有情報に関連付けられている提供情報を抽出し、抽出した提供情報の中から、受信工程で受信した付加情報にマッチングする提供情報を抽出する抽出工程と、抽出工程により抽出された提供情報を付加情報に対応するユーザ端末装置に送信する通信工程と、をコンピュータによって実現するためのプログラムである。
【発明の効果】
【００１１】
本開示によれば、場所に関連付けられている情報の中から、ユーザにマッチングする情報のみを効率的に送信することができる。
【図面の簡単な説明】
【００１２】
【図１】第１の実施形態を示す概要図である。
【図２】第１の実施形態に係るユーザ投稿情報表示システム１の構成を示す概略ブロック図である。
【図３】第１の実施形態に係る店舗装置、ユーザ端末装置および情報提供サーバの間での提供情報を抽出し提供を行うための動作について説明するためのフローチャートである。
【図４】第１の実施形態に係る位置情報テーブルを示す図である。
【図５】第１の実施形態に係る提供情報テーブルを示す図である。
【図６】第２の実施形態に係るユーザ投稿情報表示システム２の構成を示す概略ブロック図である。
【図７】第２の実施形態に係る店舗装置、ユーザ端末装置、ＳＮＳサーバおよび情報提供サーバの間での提供情報を抽出し提供を行うための動作について説明するためのフローチャートである。
【図８】第３の実施形態を示す概要図である。
【図９】第３の実施形態に係るグループテーブルを示す図である。
【図１０】第４の実施形態を示す概要図である。
【図１１】第４の実施形態に係る位置情報テーブルを示す図である。
【発明を実施するための形態】
【００１３】
以下、本開示の実施形態に係る情報提供システム、情報提供サーバ、情報提供方法およびプログラムについて図面を参照しながら説明する。なお、実施形態を説明する全図において、共通の構成要素には同一の符号を付し、繰り返しの説明を省略する。なお、以下に説明する本実施形態は、特許請求の範囲に記載された本開示の内容を不当に限定するものではない。また本実施形態で説明される構成の全てが、本開示の必須構成要件であるとは限らない。
【００１４】
（第１の実施形態）
＜全体概要＞
まず、図１を用いて本実施形態の概要について説明する。図１は、信号発信装置１１３ａが設置された店舗１１１ａ、信号発信装置１１３ｂが設置された店舗１１１ｂ、信号発信装置１１３ｃが設置された店舗１１１ｃと、ユーザ端末装置１２１ａを持ったユーザＡとユーザ端末装置１２１ｂを持ったユーザＢを示す図である。店舗１１１ａ、店舗１１１ｂ、店舗１１１ｃは、以下特に区別をしない場合には店舗１１１と記載する。また、信号発信装置１１３ａ、信号発信装置１１３ｂ、信号発信装置１１３ｃは、以下特に区別をしない場合には信号発信装置１１３と記載する。また、ユーザ端末装置１２１ａとユーザ端末装置１２１ｂは、以下特に区別をしない場合にはユーザ端末装置１２１と記載する。
【００１５】
図１において、ユーザ端末装置１２１ａを持ったユーザＡは、店舗１１１ａの前を通りかかった際に信号発信装置１１３ａから発信された信号をユーザ端末装置１２１ａが受信している状態である。また、ユーザ端末装置１２１ｂを持ったユーザＢは、店舗１１１ｂの店内に入った際に信号発信装置１１３ｂから発信された信号をユーザ端末装置１２１ｂが受信している状態である。信号発信装置１１３は定期的に信号を発信する。そのため、店舗１１１ｃに設置された信号発信装置１１３ｃは、ユーザ端末装置が信号の受信可能エリアにいるか否かにかかわらず、信号を発信している。
【００１６】
後述する情報提供サーバ１３１は、店舗１１１からの提供情報がユーザにマッチングするか否かの判定を行う。情報提供サーバ１３１は、判定の結果、マッチングする場合にはユーザ端末装置１２１に対して当該提供情報を送信し、マッチングしない場合は当該提供情報を送信しない。提供情報を受信したユーザ端末装置１２１は、提供情報を表示することができる。また、ユーザ端末装置１２１は、受信した提供情報についてさらにユーザとのマッチングの判定を行い、提供情報を絞り込み、絞り込んだ提供情報のみを表示する構成でもよい。
【００１７】
店舗１１１は、コンビニエンスストア等の商業的な活動を行うための建物に限られず、工場やオフィスであっても構わない。ユーザ端末装置１２１は、スマートフォン、タブレット、携帯電話、ＰＨＳ、コンピュータ、ゲーム装置、ＰＤＡ、携帯型ゲーム機、腕時計、スマートウォッチ、画像生成装置等の情報処理装置である。信号発信装置１１３は、無線信号発信装置を示し、無線ＬＡＮ、赤外線、Ｂｌｕｅｔｏｏｔｈ(登録商標)等を用いてユーザ端末装置１２１に対して信号を発信可能な装置である。また、提供情報は、店舗１１１からの求人情報、広告情報、クーポン情報等の、ユーザに対して提供者が提供を希望する情報である。
【００１８】
以下の実施形態においては、提供情報は、求人情報を代表例として説明を行う。また、ユーザ端末装置１２１のユーザは、ユーザ端末装置１２１にインストールされた提供情報を得るための専用のアプリケーションソフトウェアによって、求職情報の登録や求人情報の閲覧を行う。
【００１９】
＜構成＞
図２を用いて本実施形態に係る情報提供システム１の構成及びその概要について説明する。なお、図２は、情報提供システム１のブロック図である。
【００２０】
本実施形態の情報提供システム１は、図２に示すように、店舗装置１１２、ユーザ端末装置１２１と、情報提供サーバ１３１とが、例えばインターネットなどのネットワークＮに接続可能に構成されている。
【００２１】
店舗装置１１２は、信号発信装置１１３と店舗端末装置１１４から構成される。
【００２２】
信号発信装置１１３は、Ｂｌｕｅｔｏｏｔｈによるビーコン（Ｂｅａｃｏｎ）装置である。信号発信装置１１３は、それぞれに固有情報としてのビーコンＩＤ情報が付与されたビーコン信号（第一信号）を数秒に一回程度発信する。ビーコン信号はＢｌｕｅｔｏｏｔｈによる電波で発信されるため、信号発信装置１１３の設置された店舗１１１の店内または店舗１１１を中心にして半径数メートルから数十メートルの領域に放射領域が限定される。つまり、ユーザ端末装置１２１がビーコン信号を受信した場合には、当該ユーザ端末装置１２１がビーコン信号の放射領域内に存在しているということになるので、ユーザ端末装置１２１がビーコン信号を受信した場合には、ユーザ端末装置１２１のおおよその位置を特定することができる。
【００２３】
店舗端末装置１１４は、ネットワークＮに接続可能に構成されるコンピュータ、スマートフォン、タブレット、携帯電話等の情報処理装置である。店舗端末装置１１４は、信号発信装置１１３のＩＤ情報に位置情報等を付与して、情報提供サーバ１３１に送信することができる。位置情報は、住所であっても、緯度経度情報であっても構わない。店舗端末装置１１４は、位置情報を、店舗端末装置１１４の使用者の入力によって取得してもよいし、ＧＰＳ（Ｇｌｏｂａｌ  Ｐｏｓｉｔｉｏｎｉｎｇ  Ｓｙｓｔｅｍ）によって取得しても構わない。また、店舗端末装置１１４の使用者が提供を希望する情報を入力し、情報提供サーバ１３１に送信することができる。本実施形態においては、例えば店舗１１１の経営者が、店舗１１１の求人情報を提供情報として店舗端末装置１１４から入力し、情報提供サーバ１３１に送信することができる。
【００２４】
次に、ユーザ端末装置１２１の構成と動作について説明する。なお、ユーザ端末装置１２１はネットワークＮに携帯電話回線や無線ＬＡＮを用いて接続することができる。また、ユーザ端末装置１２１は、ＯＳ（Ｏｐｅｒａｔｉｎｇ  Ｓｙｓｔｅｍ）に実装された機能によって、信号発信装置１１３から発信される信号を受信することができる。また、ユーザ端末装置１２１は、インストールされた専用のアプリケーションソフトウェアによって、信号発信装置１１３から発信される信号を受信することができる。また、ユーザ端末装置１２１は、インストールされた専用のアプリケーションソフトウェアによって情報提供サーバ１３１にアクセスできる。例えば、ユーザ端末装置１２１のＢｌｕｅｔｏｏｔｈ機能をＯＮにすることにより、ビーコン信号を受信できる状態になり、ビーコン信号を受信したら、その旨を情報提供サーバ１３１に通知し、情報提供サーバ１３１からユーザにマッチングする提供情報がユーザ端末装置１２１にプッシュで送信されてくる。
【００２５】
ユーザ端末装置１２１は、信号発信装置１１３からビーコンＩＤ情報を含むビーコン信号（第一信号）を受信し、ビーコンＩＤ情報に、ユーザ端末装置１２１を特定するためのユーザ端末装置ＩＤ情報を付加した信号を生成し（第二信号）、情報提供サーバ１３１へ送信する。また、ユーザ端末装置１２１は、インストールされた専用アプリケーションソフトウェアに登録されたユーザの求職情報を希望条件情報として情報提供サーバ１３１へ送信する。ユーザの求職情報は、例えば、希望職種や、希望勤務時間帯、待遇条件等の情報である。第二信号には、ユーザ個人を特定するためのユーザＩＤ情報を更に付加しても構わない。
【００２６】
情報提供サーバ１３１は、通信部１３２と、位置情報記憶部１３３と、提供情報記憶部１３４と、抽出部１３５とを備える。
【００２７】
通信部１３２は、ネットワークＮを介して店舗装置１１２やユーザ端末装置１２１等と通信を行う通信インタフェースである。通信部１３２は、例えばユーザ端末装置１２１から送信された第二信号を受信し、また、ユーザ端末装置１２１に対して、後述するマッチング提供情報を送信する。
【００２８】
位置情報記憶部１３３には、図４に示すように、ビーコンＩＤ情報に店舗コードと店舗位置情報等のデータが関連付けられた位置情報テーブルが記憶されている。なお、位置情報テーブルの詳細については後述する。
【００２９】
提供情報記憶部１３４には、図５に示すように、店舗端末装置１１４から入力された求人情報などの提供情報のデータが店舗コードに関連付けられた提供情報テーブルが記憶されている。なお、提供情報テーブルの詳細については後述する。
【００３０】
抽出部１３５は、位置情報記憶部１３３に記憶されている位置情報テーブルを参照して、ユーザ端末装置１２１から受信したビーコンＩＤ情報から当該ユーザ端末装置１２１の現在位置に対応する店舗コードを特定する。また、抽出部１３５は、提供情報記憶部１３４に記憶されている提供情報テーブルを参照して、抽出された店舗コードに対応する提供情報を抽出する。さらに、抽出部１３５は、希望条件情報を参照して、抽出された提供情報からマッチング提供情報の抽出を行う。
【００３１】
＜処理の流れ＞
次に、本開示の第１の実施形態に係る情報提供システム１の動作について、図３に示すフローチャートを参照しながら説明する。図３は、信号発信装置１１３からビーコン信号情報を受信したユーザ端末装置１２１がその旨を情報提供サーバ１３１に通知し、情報提供サーバ１３１からマッチングする提供情報をユーザ端末装置１２１に送信する際の動作についての説明に供するフローチャートである。
【００３２】
図３のステップＳ１０１において、信号発信装置１１３は、信号発信装置１１３を特定するための固有情報であるビーコンＩＤ情報を含むビーコン信号（第一信号）の発信を行う。信号発信装置１１３は、ビーコン信号を数秒間隔で繰り返し発信する。
【００３３】
ステップＳ１０２において、ユーザ端末装置１２１は、受信した第一信号に含まれるビーコンＩＤ情報に、ユーザ端末装置１２１を特定するユーザ端末装置ＩＤ情報と、インストールされた専用のアプリケーションソフトウェアに登録された希望条件情報を付加情報として追加した信号（第二信号）を情報提供サーバ１３１へ送信する。
【００３４】
ステップＳ１０３において、情報提供サーバ１３１の抽出部１３５は、位置情報記憶部１３３に記憶された位置情報テーブルを参照し、第二信号に含まれるビーコンＩＤ情報から、ユーザ端末装置１２１がどの店舗１１１に位置しているのかを解析（特定）する。解析結果により、ユーザ端末装置１２１が位置している店舗１１１の店舗コードを決定することができる。位置情報テーブルは、図４に示すように、複数のビーコンＩＤ情報に対して、それぞれの信号発信装置１１３が設置されている店舗１１１の店舗コード、店舗住所の情報からなる。店舗住所の情報は、緯度、経度情報であっても構わない。また、解析結果により、ユーザ端末装置１２１が位置している店舗１１１の近隣の店舗を決定する構成でも構わない。例えば、抽出部１３５は、ユーザ端末装置１２１ａが店舗１１１ａに位置しているかを特定した解析結果から、店舗１１１ａの近隣の店舗１１１ｂの店舗コードを決定する。
【００３５】
ステップＳ１０４において、抽出部１３５は、ステップＳ１０３で決定された店舗コードの情報に基づいて、提供情報記憶部１３４に記憶された提供情報テーブルから、店舗コードに該当する提供情報を抽出する。提供情報テーブルは、図５に示すように求人情報として、店舗コード、店舗位置情報、店舗名称、情報の提供期間、求人募集日、求人募集時間、求人募集職種、待遇条件の情報からなる。
【００３６】
ステップＳ１０５において、抽出部１３５は、第二信号に含まれる希望条件情報を参照し、ステップＳ１０４で抽出された提供情報からユーザにマッチングした提供情報（以下、「マッチング提供情報」と言う。）の抽出を行う。例えば、提供情報の待遇条件と、希望条件情報の待遇条件が一致または含まれる条件であるような場合、マッチングしたものと判定し、当該提供情報をマッチング提供情報として抽出する。提供情報と希望条件情報はそれぞれいくつかの項目があるため、そのすべてがマッチングした場合に抽出を行っても構わないし、所定数の条件がマッチングした場合に抽出を行っても構わない。
【００３７】
ステップＳ１０６において、抽出部１３５は、マッチング提供情報が有るかどうかについて判別する。「有」の場合、すなわち（Ｙ）の場合はステップＳ１０７へ処理を進める。（Ｎ）の場合は処理を終了する。
【００３８】
ステップＳ１０７において、通信部１３２は、抽出されたマッチング提供情報をユーザ端末装置１２１へ送信する。
【００３９】
ステップＳ１０８において、ユーザ端末装置１２１は、情報提供サーバ１３１から送信されたマッチング提供情報の表示を行う。なお、ユーザ端末装置１２１は、インストールされた専用のアプリケーションソフトウェアでマッチング提供情報の表示を行っても構わない。
【００４０】
また、ユーザ端末装置１２１は、ユーザ端末装置１２１からのＷＥＢのアクセス履歴からユーザの興味や関心を抽出し、抽出した情報を参照してマッチングの判定をし表示するか否かを決定してもよい。送信されたマッチング提供情報をさらに絞り込み、マッチングの精度を高めることができる。
【００４１】
＜効果の説明＞
以上のように、本開示の第１の実施形態に係る情報提供システム１は、店舗１１１に来店または店舗１１１の近隣にいるユーザ端末装置１２１に対して、ユーザが希望する情報とのマッチングを判断したうえで、店舗１１１が提供したい提供情報を絞り込んで送信し、ユーザ端末装置１２１により当該提供情報を表示させることができる。よって、情報提供システム１は、ユーザにとって関係のない提供情報をユーザ端末装置１２１に送信せず、場所に関連付けられている提供情報の中から、ユーザにマッチングする情報のみを効率的に送信することができる。ユーザにとっては、関心の高い情報が抽出されて表示されるため、提供情報を積極的に閲覧する動機となる。
【００４２】
また、提供情報テーブルを構成する要素は、図５に示す要素に限定されない。例えば、会社名、会社コードなどをさらに含んでいても構わない。例えば、店舗１１１ａとその近隣にある店舗１１１ｂが別の会社の店舗であった場合、店舗１１１ｂに来店したユーザのユーザ端末装置１２１に対して、提供情報テーブルに基づいて店舗１１１ｂとは別の会社の店舗であって、店舗１１１ｂの近隣の店舗１１１ａに対応づけられている情報を送信する構成でもよい。
【００４３】
本実施形態において、提供情報は、求人情報を例としたが、店舗の広告情報や、クーポン情報等でも構わない。ユーザ端末装置１２１にインストールされる専用アプリケーションプログラムは、店舗と提携したものが選択されても構わない。
【００４４】
（第２の実施形態）
＜構成＞
本開示の第２の実施形態に係る情報提供システム２の構成及びその概要について図６を用いて説明する。なお、図６は、情報提供システム２のブロック図である。第２の実施形態は、第１の実施形態とはユーザ端末装置１２１にインストールされた提供情報を得るための専用のアプリケーションソフトウェアが不要な点が異なる。また、第１の実施形態に係る情報提供システム１と同一の構成要素には同一の符号を付し、詳細な説明を省略する。
【００４５】
本実施形態の情報提供システム２は、図６に示すように、店舗装置１１２、ユーザ端末装置１２１と、情報提供サーバ１３１、ＳＮＳサーバ１４１とが、例えばインターネットなどのネットワークＮに接続可能に構成されている。
【００４６】
ユーザ端末装置１２１の構成と動作について説明する。なお、ユーザ端末装置１２１はネットワークＮに携帯電話回線や無線ＬＡＮを用いて接続することができる。また、ユーザ端末装置１２１は、ＯＳ（Ｏｐｅｒａｔｉｎｇ  Ｓｙｓｔｅｍ）に実装された機能によって、信号発信装置１１３から発信される信号を受信することができる。また、ユーザ端末装置１２１は、インストールされたＳＮＳ（Ｓｏｃｉａｌ  Ｎｅｔｗｏｒｋｉｎｇ  Ｓｅｒｖｉｃｅ）アプリケーションソフトウェアによって、信号発信装置１１３から発信される信号の受信することができる。また、ユーザ端末装置１２１は、インストールされたＳＮＳアプリケーションソフトウェアや、ＷＥＢブラウザソフトウェアによって情報提供サーバ１３１にアクセスできる。また、情報提供サーバ１３１や、別途サーバが提供する動作環境（ＡＰＩ（アプリケーションプログラミングインタフェース）、プラットフォーム等）を利用して、情報提供サーバ１３１にアクセスしてもよい。ＳＮＳの代表例としては、例えばＦａｃｅｂｏｏｋ(登録商標)や、Ｔｗｉｔｔｅｒ(登録商標)、ＬＩＮＥ（登録商標）等がある。
【００４７】
ユーザ端末装置１２１は、信号発信装置１１３からビーコンＩＤ情報を含むビーコン信号（第一信号）を受信し、ビーコンＩＤ情報に、ユーザ端末装置１２１を特定するためのユーザ端末装置ＩＤ情報と、ユーザ個人を特定するためのユーザＩＤ情報を付加した信号を生成し（第二信号）、情報提供サーバ１３１へ送信する。また、ユーザ端末装置１２１は、後述するＷＥＢブラウザのクッキー情報を情報提供サーバ１３１へ送信する。
【００４８】
情報提供サーバ１３１は、通信部１３２と、位置情報記憶部１３３と、提供情報記憶部１３４と、抽出部１３５と、希望条件生成部１３６と、ユーザ管理記憶部１３７とを備える。
【００４９】
抽出部１３５は、位置情報記憶部１３３に記憶されている位置情報テーブルを参照して、ユーザ端末装置１２１から受信したビーコンＩＤ情報から当該ユーザ端末装置１２１の現在位置に対応する店舗コードを特定する。また、抽出部１３５は、提供情報記憶部１３４に記憶されている提供情報テーブルを参照して、抽出された店舗コードに対応する提供情報を抽出する。さらに、抽出部１３５は、後述する希望条件情報を参照して、抽出された提供情報からマッチング提供情報の抽出を行う。
【００５０】
希望条件生成部１３６は、ユーザ端末装置１２１を使用するユーザのＷＥＢサイトへの訪問履歴やＳＮＳアプリケーションソフトウェアにおけるユーザの行動履歴を閲覧履歴として収集して、ユーザ管理記憶部１３７に記憶する。具体的には、希望条件生成部１３６は、ＷＥＢブラウザのクッキー（Ｃｏｏｋｉｅ）より閲覧履歴に関する情報と、ＳＮＳのユーザＩＤ情報とを併せて収集する。この閲覧履歴に関する情報とユーザＩＤ情報とを関連付けられてユーザ管理記憶部１３７に記憶する。ここで、閲覧履歴の収集は、ＷＥＢブラウザのクッキーの他に、ユーザの閲覧履歴を取得できるものより収集してもよい。また、ユーザＩＤ情報の他に、ユーザの性別や年齢等のユーザ属性情報を収集してもよい。
【００５１】
また、希望条件生成部１３６は、ユーザ管理記憶部１３７に記憶された閲覧履歴を、サイトの訪問回数や検索キーワードに基づいてＡＩ（人工知能）などにより解析処理し、ユーザ端末装置１２１を使用するユーザの興味や関心を抽出しユーザ管理記憶部１３７に記憶する。さらに、希望条件生成部１３６は、ユーザ管理記憶部１３７に記憶されたユーザの興味や関心と、提供情報記憶部１３４に記憶された、求人情報などの提供情報のデータからなる提供情報テーブルに基づいて、ＡＩ（人工知能）などにより解析処理し、求人情報に関する希望条件情報を推定し生成する。
【００５２】
ユーザ管理記憶部１３７は、閲覧履歴や、生成された希望条件情報をユーザＩＤ情報と併せて記憶する。
【００５３】
ＳＮＳサーバ１４１は、ＳＮＳ環境を提供するサーバである。情報提供サーバ１３１は、マッチング提供情報をＳＮＳサーバ１４１を介してユーザ端末装置１２１に送信してもよい。
【００５４】
＜処理の流れ＞
次に、本開示の第２の実施形態に係る情報提供システム２の動作について説明する。図７は、信号発生装置１１３からビーコン信号情報を受信したユーザ端末装置１２１がその旨を情報提供サーバ１３１に通知し、情報提供サーバ１３１からマッチングする提供情報をＳＮＳサーバ１４１を介してユーザ端末装置１２１に送信する際の動作についての説明に供するフローチャートである。
【００５５】
図７のステップＳ２０１において、信号発信装置１１３は、信号発信装置１１３を特定するための固有情報であるビーコンＩＤ情報を含むビーコン信号（第一信号）の発信を行う。信号発信装置１１３は、ビーコン信号を数秒間隔で繰り返し発信する。
【００５６】
ステップＳ２０２において、ユーザ端末装置１２１は、受信した第一信号に含まれるビーコンＩＤ情報に、ユーザ端末装置１２１を特定するユーザ端末装置ＩＤ情報と、ユーザを特定するユーザＩＤ情報に加えて、ユーザ端末装置１２１にインストールされたＳＮＳアプリケーションソフトウェアにＵＲＬを送信してアクセスさせること等により取得するＷＥＢブラウザのクッキーを付加情報として追加した信号（第二信号）を情報提供サーバ１３１へ送信する。
【００５７】
ステップＳ２０３において、情報提供サーバ１３１の抽出部１３５は、位置情報記憶部１３３に記憶された位置情報テーブルを参照し、第二信号に含まれるビーコンＩＤ情報から、ユーザ端末装置１２１がどの店舗１１１に位置しているのかを解析（特定）する。解析結果により、ユーザ端末装置１２１が位置している店舗１１１の店舗コードを決定することができる。
【００５８】
ステップＳ２０４において、抽出部１３５は、ステップＳ２０３で決定された店舗コードの情報に基づいて、提供情報記憶部１３４に記憶された提供情報テーブルから、店舗コードに該当する提供情報を抽出する。
【００５９】
ステップＳ２０５において、希望条件生成部１３６は、ステップＳ２０２でユーザ端末装置１２１から送信されたＷＥＢブラウザのクッキーによるユーザの閲覧履歴を解析し、ユーザの興味や関心から希望条件情報を生成する。
【００６０】
ステップＳ２０６において、抽出部１３５は、ステップＳ２０５で生成された希望条件情報を参照し、ステップＳ２０４で抽出された提供情報からユーザにマッチングした提供情報（以下、「マッチング提供情報」と言う。）の抽出を行う。例えば、提供情報の職種条件と、希望条件情報の職種が一致または含まれる条件であるような場合、マッチングしたものと判定し、当該提供情報をマッチング提供情報として抽出する。提供情報とユーザ希望条件情報はそれぞれいくつかの項目があるため、そのすべてがマッチングした場合に抽出を行っても構わないし、所定数の条件がマッチングした場合に抽出を行っても構わない。
【００６１】
ステップＳ２０７において、抽出部１３５は、マッチング提供情報が有るかどうかについて判別する。「有」の場合、すなわち（Ｙ）の場合はステップＳ２０８へ処理を進める。（Ｎ）の場合は処理を終了する。
【００６２】
ステップＳ２０８において、通信部１３２は、抽出されたマッチング提供情報をユーザＩＤ情報とともにＳＮＳサーバ１４１へ送信する。
【００６３】
ステップＳ２０９において、ＳＮＳサーバ１４１は、受信したマッチング提供情報を、ユーザ端末装置１２１の使用者のユーザＩＤ情報のＳＮＳへプッシュ送信する。
【００６４】
ステップＳ２１０において、ユーザ端末装置１２１は、情報提供サーバ１３１からプッシュ送信されたマッチング提供情報の表示を行う。ユーザ端末装置１２１は、インストールされたＳＮＳアプリケーションソフトウェアでマッチング提供情報の表示を行っても構わない。例えば、ＳＮＳのタイムライン表示中にマッチング提供情報の表示を行ってもよい。
【００６５】
＜効果の説明＞
以上のように、本開示の第２の実施形態に係る情報提供システム２は、例えばユーザ端末装置１２１に予めインストールされたＳＮＳアプリケーションソフトウェアを利用して、ＳＮＳサーバ１４１を介してユーザ端末装置１２１に対するマッチング提供情報の送信を行うことができる。この構成により、情報提供システム２は、店舗１１１に来店または店舗１１１の近隣にいるユーザ端末装置１２１に対して、ユーザが提供情報を得るための専用のアプリケーションソフトウェアを導入することなく、店舗１１１が提供したい提供情報を絞り込んで送信し、ユーザ端末装置１２１により当該提供情報を表示させることができる。よって、情報提供システム２は、ユーザ端末装置１２１のＢｌｕｅｔｏｏｔｈの機能をオンにして、信号発信装置１１３からの信号を受信できる状態にするだけで、場所に関連付けられている提供情報の中から、ユーザにマッチングする情報のみを効率的に送信することができる。ユーザにとっては、ユーザ端末装置１２１の通常使用時の閲覧履歴などから潜在的に希望している情報が抽出されて表示されるため、提供情報を積極的に閲覧する動機となる。
【００６６】
なお、ユーザ端末装置１２１は、ビーコンＩＤ情報に、ユーザ端末装置１２１を特定するためのユーザ端末装置ＩＤ情報のみを付加した信号を生成し（第二信号）、情報提供サーバ１３１へ送信しても構わない。その場合、情報提供サーバ１３１は、ユーザを特定せずにユーザ端末装置１２１を特定することで、マッチング提供情報を提供しても構わない。
【００６７】
（第３の実施形態）
本開示の第３の実施形態ついて説明する。第３の実施形態では、第２の実施形態に係る情報提供システム２を用いて説明する。図８は、信号発信装置１１３ｄが設置された店舗１１１ｄと、店舗１１１ｄとは遠隔の地にある信号発信装置１１３ｅが設置された店舗１１１ｅと、ユーザ端末装置１２１ｃを持ったユーザＣを示す図である。具体的な例としては、店舗１１１ｄは札幌にあるコンビニエンスストアであり、店舗１１１ｅは東京にあるコンビニエンスストアである。図８では、ユーザＣは札幌在住で普段は店舗１１１ｄを利用しており、東京への旅行で店舗１１１ｅを利用した状態を想定している。また、図９は、情報提供サーバ１３１に記憶されている複数のビーコンＩＤ情報が一定条件下にグルーピングされたグループテーブルを示す図である。例えば、グループＡには、複数のコンビニエンスストアが関連付けられており、グループＢには、複数のペットショップが関連付けられており、グループＣには、複数の自動車用品店が関連付けられている。
【００６８】
ユーザＣが、東京の店舗１１１ｅに立ち寄ると、店舗１１１ｅに設置された信号発信装置１１３ｅから発信されたビーコン信号（第一信号）を、ユーザ端末装置１２１ｃが受信する。ユーザ端末装置１２１ｃは、ビーコン信号に含まれるビーコンＩＤ情報に、ユーザ端末装置ＩＤ情報やユーザＩＤ情報を付与した信号（第二信号）を情報提供サーバ１３１へ送信する。
【００６９】
例えば、札幌の店舗１１１ｄに設置された信号発信装置１１３ｄのビーコンＩＤ情報を「０ｘ４５ＡＣ」とする。情報提供サーバ１３１は、位置情報テーブルに基づき、ビーコンＩＤ情報から店舗の位置情報を特定することができる。ユーザＣのユーザ端末装置１２１が、店舗１１１ｄに設置された信号発信装置１１３ｄからのビーコン信号、すなわちビーコンＩＤ情報「０ｘ４５ＡＣ」を多く受信していることから、ユーザＣは、普段札幌の店舗１１１ｄを利用していることを推定する。情報提供サーバ１３１の位置特定部は、ビーコン信号の受信履歴からユーザＣが札幌在住であることを特定する。
【００７０】
情報提供システム２は、提供情報が求人情報であれば旅行先の求人情報よりも在住先の求人情報が提供されることで、ユーザと提供情報のマッチングを高めることができる。情報提供サーバ１３１には、各店舗のビーコンＩＤ情報に店舗位置情報と提供情報が関連付けられたテーブルが記憶されている。ユーザ端末装置１２１ｃは、ユーザＣが東京の店舗１１１ｅに立ち寄った場合に、信号発信装置１１３ｅから発信されたビーコン信号（第一信号）を受信する。ユーザ端末装置１２１ｃは、ビーコン信号を受信したことをトリガとして、情報提供サーバ１３１にビーコンＩＤ情報とユーザ端末装置ＩＤ情報を付加した第二信号を送信する。第二信号を受信した情報提供サーバ１３１は、ユーザ端末装置ＩＤ情報から特定されるユーザ端末装置１２１ｃのビーコン信号の受信履歴によって、札幌近郊の求人情報がマッチングすることを判定する。例えば、ユーザ端末装置１２１が、東京の店舗１１１ｅに設置された信号発信装置１１３ｅのビーコンＩＤ情報「０ｘ５Ａ０Ｆ」を受信した場合、情報提供サーバ１３１は図９のグループテーブルに基づいて、ユーザ端末装置１２１がグループＡに属するコンビニエンスストアに来店していることを特定する。情報提供サーバ１３１は、ビーコンＩＤ情報「０ｘ５Ａ０Ｆ」に関連付けられているビーコンＩＤ情報「０ｘ４５ＡＣ」を抽出し、図４に示す位置情報テーブルに基づいて、ビーコンＩＤ情報「０ｘ４５ＡＣ」の店舗コードを特定する。情報提供サーバ１３１は、特定された店舗コードに基づいて、第１の実施形態や第２の実施形態で説明したように、ユーザが登録した求職情報である希望条件情報や、情報提供サーバ１３１で生成された希望条件情報を参照して、札幌近郊の求人情報からユーザＣにマッチング提供情報を抽出する。情報提供サーバ１３１は、抽出されたマッチング提供情報をユーザ端末装置１２１ｃへ送信する。
【００７１】
以上から、情報提供システム２は、遠隔地の訪問先での信号発信装置からの信号をトリガとして、ユーザの在住地でのマッチングする情報のみを効率的に送信することができる。よって、情報提供システム２は、同一グループの店舗へ訪れるユーザに対して情報を送信することにより、当該同一グループの店舗への関心のあるユーザに絞った情報を送信することになり、マッチングの可能性を高めることができる。なお、グループはコンビニエンスストアやペットショップといった業種だけでなく、フランチャイズのグループや地域によるグループであってもよい。
【００７２】
なお、ユーザの在住場所の特定は、提供情報を得るための専用のアプリケーションソフトウェアに在住箇所を登録するようにしてもよいし、他の方法で行っても構わない。在住場所は、特定の店舗の近くだけでなく、近郊エリア、例えば札幌市と特定した場合、石狩支庁全体の在住場所と特定し、石狩支庁内にある、他の系列店舗の提供情報を送信しても構わない。
【００７３】
（第４の実施形態）
本開示の第４の実施形態ついて説明する。第４の実施形態では、第２の実施形態に係る情報提供システム２を用いて説明する。図１０は、商品分野毎の販売のブースとして、乳幼児用品売り場のブース１１５ｆ、自動車用品売り場のブース１１５ｇ、ペット用品売り場のブース１１５ｈ、カメラ売り場のブース１１５ｉが配置されている店舗１１１ｆを示す図である。各ブースには、信号発信装置１１３ｆから信号発信装置１１３ｉが設置されている。ユーザＤは、ユーザ端末装置１２１ｄをもって店舗内を移動している。信号発信装置１１３としてＢｌｕｅｔｏｏｔｈによるビーコン装置を使用した場合、ビーコン信号の届く領域が半径数メートルから数十メートルに限られる。そのため、端末装置Ｄ１２１ｄどの信号発信装置からのビーコン信号を受信したかをビーコンＩＤ情報から判定することによって、ユーザＤがどのブースにどのくらいの時間立ち寄っているのかを特定することができる。
【００７４】
図１０において、ユーザＤは、乳幼児用品売り場のブース１１５ｆに立ち寄っている。情報提供サーバ１３１の位置特定部は、例えば、ビーコン信号の受信回数が連続して多い場合には、ユーザＤがブース１１５ｆに長く滞在しているものとしてユーザＤの位置情報を特定することができる。
【００７５】
情報提供サーバ１３１には、図１１に示す位置情報テーブルが記憶されている。位置情報テーブルは、複数のビーコンＩＤ情報に対して、それぞれのビーコンである信号発信装置１１３が設置されている店舗の店舗コード、備考情報として売り場情報から構成される。
【００７６】
情報提供サーバ１３１の個人特性推定部は、位置情報テーブルのビーコンＩＤ情報、売り場情報と、位置特定部によってユーザが長く滞在している場所として特定された位置情報とから、ユーザの個人特性を推定することができる。例えば、乳幼児用品売り場に長く滞在しているユーザは、乳幼児を持つ親世代であるものと推定する。情報提供サーバ１３１の抽出部１３５は、ビーコンＩＤ情報から抽出された提供情報と、推定された個人特性から、提供情報からユーザに対するマッチング提供情報の抽出を行う。抽出されたマッチング提供情報は、ユーザ端末装置１２１ｄに表示される。
【００７７】
以上から、情報提供システム２は、同一店舗内に複数の信号発信装置１１３を設置することで店舗内でのユーザの位置を特定することができる。情報提供システム２は、特定された位置から、ユーザの個人特性を推定してマッチング提供情報を送信することができる。
【００７８】
なお、複数の信号発信装置１１３は、同一店舗内に設置することに限られず、ショッピングモールのような複数のテナントの入った複合商業施設に設置しても構わない。
＜プログラム＞
【００７９】
情報提供サーバ１３１を構成する各機能を実現するためのプログラムをコンピュータで読み取り可能な記録媒体に記録して、この記録媒体に記録されたプログラムをコンピュータシステムに読み込ませ、実行することによって実現してもよい。
【００８０】
具体的には、当該プログラムは、ユーザ端末装置から送信された所定の無線通信規格に準拠した信号に含まれている信号発信装置を示す固有情報と付加情報を受信する受信工程と、固有情報と、ユーザ端末装置に提供するための提供情報とが関連付けて記憶されている提供情報記憶部に記憶されている提供情報の中から、受信工程で受信した固有情報に関連付けられている提供情報を抽出し、抽出した提供情報の中から、受信工程で受信した付加情報にマッチングする提供情報を抽出する抽出工程と、抽出工程により抽出された提供情報を付加情報に対応するユーザ端末装置に送信する通信工程と、をコンピュータによって実現するためのプログラムである。
【００８１】
さらに、ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００８２】
さらに「コンピュータで読み取り可能な記録媒体」とは、インターネット等のネットワークや電話回線等の通信回線を介してプログラムを送信する場合の通信線のように、短期間で動的にプログラムを保持するもの、その場合のサーバやクライアントとなるコンピュータシステム内部の揮発性メモリのように、一定時間プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００８３】
１、２  情報提供システム、１１１，１１１ａ〜１１１ｆ  店舗、１１２  店舗装置、１１３，１１３ａ〜１１３ｆ  信号発信装置、１１４  店舗端末装置、１１５ｆ〜１１５ｉ  ブース、１２１，１２１ａ〜１２１ｃ  ユーザ端末装置、１３１  情報提供サーバ、１３２  通信部、１３３  位置情報記憶部、１３４  提供情報記憶部、１３５  抽出部、１３６  希望条件生成部、１３７  ユーザ管理記憶部、１４１  ＳＮＳサーバ
【図１】
2018169868.tif 000003
【図２】
2018169868.tif 000004
【図３】
2018169868.tif 000005
【図４】
2018169868.tif 000006
【図５】
2018169868.tif 000007
【図６】
2018169868.tif 000008
【図７】
2018169868.tif 000009
【図８】
2018169868.tif 000010
【図９】
2018169868.tif 000011
【図１０】
2018169868.tif 000012
【図１１】
2018169868.tif 000013